(57)【要約】【課題】ペルチェ素子を有する冷却部を制御することによって結露の発生をより適切に防止することが可能なプロジェクター等を提供すること。【解決手段】プロジェクター１００が、光源１７０からの光を画像信号に応じて変調する光変調部１９０と、光変調部１９０と熱伝導可能に接続されたペルチェ素子１３６を有する冷却部１３０と、光源１７０と光変調部１９０との間に設けられ、前記光の光路を通過する光量を調整する調光部１８２および前記光路を開閉する開閉部１８４の少なくとも一方を含む光量調整部１８０と、光量調整部１８０を制御するとともに、光量調整部１８０の制御状態に応じて冷却部１３０を制御することによって光変調部１９０の温度を調整する制御部１４０を含んで構成される。【選択図】図１
2011033747.tif 000002
【特許請求の範囲】
【請求項１】
光源からの光を画像信号に応じて変調する光変調部と、
前記光変調部と熱伝導可能に接続されたペルチェ素子を有する冷却部と、
前記光源と前記光変調部との間に設けられ、前記光の光路を通過する光量を調整する調光部および前記光路を開閉する開閉部の少なくとも一方を含む光量調整部と、
前記光量調整部を制御するとともに、前記光量調整部の制御状態に応じて前記冷却部を制御することによって前記光変調部の温度を調整する制御部と、
を含むプロジェクター。
【請求項２】
請求項１に記載のプロジェクターにおいて、
前記制御部は、前記光量調整部が閉状態の場合、前記ペルチェ素子の動作を停止させる制御を行う、
プロジェクター。
【請求項３】
請求項１、２のいずれかに記載のプロジェクターにおいて、
前記調光部は、前記光源からの光が入射されるように設けられ、
前記開閉部は、前記調光部を経由した光が入射されるように設けられ、
前記制御部は、前記光路を閉状態にする場合、前記調光部を通過する光量が所定値以下となるように前記調光部を制御するとともに、前記光路を閉鎖するように前記開閉部を制御する、
プロジェクター。
【請求項４】
請求項１〜３のいずれかに記載のプロジェクターにおいて、
前記光変調部の温度である第１の温度を測定する第１の温度測定部を含み、
前記制御部は、前記第１の温度が、結露が発生する基準温度未満の場合、前記第１の温度が前記基準温度以上になるように、前記冷却部を制御する、
プロジェクター。
【請求項５】
請求項１〜３のいずれかに記載のプロジェクターにおいて、
前記光変調部の温度である第１の温度を測定する第１の温度測定部と、
前記光変調部の外部の温度である第２の温度を測定する第２の温度測定部と、
を含み、
前記制御部は、前記第１の温度が前記第２の温度未満の場合、前記第１の温度が前記第２の温度以上になるように、前記冷却部を制御する、
プロジェクター。
【請求項６】
光源からの光を画像信号に応じて変調する光変調部と、前記光変調部と熱伝導可能に接続されたペルチェ素子を有する冷却部と、前記光源と前記光変調部との間に設けられ、前記光の光路を通過する光量を調整する調光部および前記光路を開閉する開閉部の少なくとも一方を含む光量調整部とを含むプロジェクターの有するコンピューターに、
前記光量調整部の調整状態を判定させ、
当該調整状態に応じて前記冷却部を制御させることによって前記光変調部の温度を調整させる、
プログラム。
【請求項７】
光源からの光を画像信号に応じて変調する光変調部と、前記光変調部と熱伝導可能に接続されたペルチェ素子を有する冷却部と、前記光源と前記光変調部との間に設けられ、前記光の光路を通過する光量を調整する調光部および前記光路を開閉する開閉部の少なくとも一方を含む光量調整部とを含むプロジェクターの有するコンピューターにより読み取り可能なプログラムであって、
請求項６に記載のプログラムを記憶した情報記憶媒体。
【請求項８】
光源からの光を画像信号に応じて変調する光変調部と、前記光変調部と熱伝導可能に接続されたペルチェ素子を有する冷却部と、前記光源と前記光変調部との間に設けられ、前記光の光路を通過する光量を調整する調光部および前記光路を開閉する開閉部の少なくとも一方を含む光量調整部とを含むプロジェクターの有するコンピューターが、
前記光量調整部の調整状態を判定し、
当該調整状態に応じて前記冷却部を制御することによって前記光変調部の温度を調整する、
冷却制御方法。
【発明の詳細な説明】
【技術分野】
【０００１】
本発明は、プロジェクター、プログラム、情報記憶媒体および冷却制御方法に関する。
【背景技術】
【０００２】
例えば、特開２００５−１２１７１２号公報では、リアプロジェクターのメインスイッチがオフになった際に、液晶パネル等を有する光学装置の温度を検出する第１の温度センサーと、光学装置周辺の空気の温度を検出する第２の温度センサーを用いて温度を検出し、光学装置周辺の空気の温度が光学装置の温度以下となる状態を維持しつつ、各温度が常温程度になるようにペルチェ素子を有する冷却部を制御することが記載されている。
【先行技術文献】
【特許文献】
【０００３】
【特許文献１】特開２００５−１２１７１２号公報
【発明の概要】
【発明が解決しようとする課題】
【０００４】
しかし、光源と光学装置の間に調光部が設けられている場合、プロジェクターは、結露を防止するためには、メインスイッチがオフになった時だけでなく、調光部によって遮光された時にも冷却部を制御する必要がある。
【０００５】
本発明にかかるいくつかの態様は、上記課題を解決することにより、ペルチェ素子を有する冷却部を制御することによって結露の発生をより適切に防止することが可能なプロジェクター、プログラム、情報記憶媒体および冷却制御方法を提供するものである。
【課題を解決するための手段】
【０００６】
本発明の態様の１つであるプロジェクターは、光源からの光を画像信号に応じて変調する光変調部と、前記光変調部と熱伝導可能に接続されたペルチェ素子を有する冷却部と、前記光源と前記光変調部との間に設けられ、前記光の光路を通過する光量を調整する調光部および前記光路を開閉する開閉部の少なくとも一方を含む光量調整部と、前記光量調整部を制御するとともに、前記光量調整部の制御状態に応じて前記冷却部を制御することによって前記光変調部の温度を調整する制御部と、を含むことを特徴とする。
【０００７】
また、本発明の態様の１つであるプログラムは、光源からの光を画像信号に応じて変調する光変調部と、前記光変調部と熱伝導可能に接続されたペルチェ素子を有する冷却部と、前記光源と前記光変調部との間に設けられ、前記光の光路を通過する光量を調整する調光部および前記光路を開閉する開閉部の少なくとも一方を含む光量調整部とを含むプロジェクターの有するコンピューターに、前記光量調整部の調整状態を判定させ、当該調整状態に応じて前記冷却部を制御させることによって前記光変調部の温度を調整させることを特徴とする。
【０００８】
また、本発明の態様の１つである情報記憶媒体は、光源からの光を画像信号に応じて変調する光変調部と、前記光変調部と熱伝導可能に接続されたペルチェ素子を有する冷却部と、前記光源と前記光変調部との間に設けられ、前記光の光路を通過する光量を調整する調光部および前記光路を開閉する開閉部の少なくとも一方を含む光量調整部とを含むプロジェクターの有するコンピューターにより読み取り可能なプログラムであって、上記プログラムを記憶したことを特徴とする。
【０００９】
また、本発明の態様の１つである冷却制御方法は、光源からの光を画像信号に応じて変調する光変調部と、前記光変調部と熱伝導可能に接続されたペルチェ素子を有する冷却部と、前記光源と前記光変調部との間に設けられ、前記光の光路を通過する光量を調整する調光部および前記光路を開閉する開閉部の少なくとも一方を含む光量調整部とを含むプロジェクターの有するコンピューターが、前記光量調整部の調整状態を判定し、当該調整状態に応じて前記冷却部を制御することによって前記光変調部の温度を調整することを特徴とする。
【００１０】
本発明によれば、プロジェクターは、光量調整部の調整状態に応じてペルチェ素子を有する冷却部を制御することにより、光変調部における結露の発生をより適切に防止することができる。
【００１１】
また、前記制御部は、前記光量調整部が閉状態の場合、前記ペルチェ素子の動作を停止させる制御を行ってもよい。
【００１２】
これによれば、プロジェクターは、光路を閉状態にする場合にペルチェ素子の動作を停止することにより、光変調部における結露の発生を防止することができる。
【００１３】
また、前記調光部は、前記光源からの光が入射されるように設けられ、前記開閉部は、前記調光部を経由した光が入射されるように設けられ、前記制御部は、前記光路を閉状態にする場合、前記調光部を通過する光量が所定値以下となるように前記調光部を制御するとともに、前記光路を閉鎖するように前記開閉部を制御してもよい。
【００１４】
これによれば、プロジェクターは、光源が点灯した状態で光路を閉状態にする場合、調光部で光路を通過する光量を所定値以下に制限し、さらに調光部を通過した光を開閉部で遮断するので、光源から射出された光の熱エネルギーを、光量調整部全体に分散して吸収させることができる。すなわち、開閉部だけを用いて光路を閉状態にする場合と比べて、開閉部が受ける熱ダメージを軽減することができるので、光量調整部のコスト低減が可能になる。
【００１５】
また、前記プロジェクターは、前記光変調部の温度である第１の温度を測定する第１の温度測定部を含み、前記制御部は、前記第１の温度が、結露が発生する基準温度未満の場合、前記第１の温度が前記基準温度以上になるように、前記冷却部を制御してもよい。
【００１６】
これによれば、プロジェクターは、光変調部の温度が基準温度以上になるように冷却部を制御することにより、光変調部における結露の発生を防止することができる。
【００１７】
また、前記プロジェクターは、前記光変調部の温度である第１の温度を測定する第１の温度測定部と、前記光変調部の外部の温度である第２の温度を測定する第２の温度測定部と、を含み、前記制御部は、前記第１の温度が前記第２の温度未満の場合、前記第１の温度が前記第２の温度以上になるように、前記冷却部を制御してもよい。
【００１８】
これによれば、プロジェクターは、光変調部の温度が外部の温度以上になるように冷却部を制御することにより、光変調部における結露の発生を防止することができる。
【図面の簡単な説明】
【００１９】
【図１】第１の実施例におけるプロジェクターの機能ブロック図である。
【図２】第１の実施例におけるプロジェクターの概略平面断面図である。
【図３】第１の実施例における調光装置の動作を示す図である。
【図４】第１の実施例における開閉装置の動作を示す図である。
【図５】第１の実施例における冷却部の機能ブロック図である。
【図６】第１の実施例における液体流通管の経路を示す図である。
【図７】第１の実施例における制御手順を示すフローチャートである。
【図８】第２の実施例におけるプロジェクターの機能ブロック図である。
【図９】第２の実施例における制御手順を示すフローチャートである。
【発明を実施するための形態】
【００２０】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、第１の実施例におけるプロジェクター１００の機能ブロック図である。プロジェクター１００は、操作部１６０と、光源１７０と、光源１７０からの光を画像信号に応じて変調する光変調部１９０と、光変調部１９０と熱伝導可能に接続されたペルチェ素子１３６を有する冷却部１３０と、光源１７０と光変調部１９０との間に設けられる光量調整部１８０と、光量調整部１８０を制御するとともに、光量調整部１８０の制御状態に応じて冷却部１３０を制御することによって光変調部１９０の温度を調整する制御部１４０を含んで構成されている。
【００２２】
また、光量調整部１８０は、複数の遮光板を光路内外に移動させることによって光路を通過する光量を調整する調光部１８２と、１つの遮光板を光路内外に移動させることによって光路を開閉する開閉部１８４を含んで構成されている。
【００２３】
また、プロジェクター１００は、ＰＣ（Personal Computer）等から画像信号（例えば、ＲＧＢ信号等）を入力する画像信号入力部１１０と、画像信号に基づいて画像を生成する画像生成部１２０と、画像を投写する投写ユニット１９２を含んで構成されている。
【００２４】
なお、プロジェクター１００は、以下のハードウェアを用いてこれらの各部として機能してもよい。例えば、プロジェクター１００は、画像信号入力部１１０は画像入力端子、コンバーター等、画像生成部１２０は画像処理回路等、制御部１４０はＣＰＵ等、操作部１６０はリモコン（リモートコントローラー）、操作ボタン等、投写ユニット１９２はズームレンズ、投写レンズ等を用いてもよい。冷却部１３０、光源１７０、光量調整部１８０および光変調部１９０の詳細については後述する。
【００２５】
また、プロジェクター１００の有するコンピューターは、情報記憶媒体２００に記憶されたプログラムを読み取って制御部１４０等として機能してもよい。このような情報記憶媒体２００としては、例えば、ＣＤ−ＲＯＭ、ＤＶＤ−ＲＯＭ、ＲＯＭ、ＲＡＭ、ＨＤＤ等を適用できる。
【００２６】
ここで、プロジェクター１００における光の流れについて説明する。図２は、第１の実施例におけるプロジェクター１００の概略平面断面図である。プロジェクター１００は、筐体２に光学部品用筐体４、冷却部１３０、投写ユニット１９２等を収納している。また、光学部品用筐体４は、光源１７０、調光部１８２、開閉部１８４、光変調部１９０等を収納している。
【００２７】
光源１７０は、２つの光源装置１７１、１７２を含んで構成されている。光源装置１７１、１７２からの光は反射ミラー１１で反射され、調光装置７０、第１レンズアレイ２１、開閉装置８０、第２レンズアレイ２２、偏光変換素子２３、重畳レンズ２４を経由して色分離光学系に出力される。
【００２８】
ここで、調光装置７０と開閉装置８０についてより詳細に説明する。図３は、第１の実施例における調光装置７０の動作を示す図である。調光装置７０は、調光部１８２の一部であり、遮光板７２、７３と、遮光板７２、７３をスライド可能に支持する支持部材７４を含んで構成されている。遮光板７２、７３は、制御部１４０からの制御情報に応じて図示しないモーターによって駆動される。
【００２９】
例えば、開状態に制御される場合、遮光板７２、７３は光路を塞がない位置に移動し、閉状態に制御される場合、遮光板７２、７３は間隔を空けて光路の一部を塞ぐ位置に移動する。
【００３０】
図４は、第１の実施例における開閉装置８０の動作を示す図である。開閉装置８０は、開閉部１８４の一部であり、フィルター８１と、遮光板８２と、フィルター８１と遮光板８２を移動可能に支持する支持部材８４を含んで構成されている。フィルター８１および遮光板８２は、制御部１４０からの制御情報に応じて図示しないモーターによって駆動される。なお、フィルター８１は、設定されたカラーモード等に応じて画像の色や明るさを変更するためのフィルターである。
【００３１】
例えば、開状態に制御される場合、遮光板８２は光路を塞がない位置に移動し、閉状態に制御される場合、遮光板８２は光路の全体を塞ぐ位置に移動する。
【００３２】
光学部品用筐体４に収納されている色分離光学系は、Ｒ光を分離するダイクロイックミラー１２と、Ｒ光を反射してＲ光用の液晶パネル４１に導く反射ミラー１６、１７と、Ｒ光の分離された光をＧ光とＢ光に分離するダイクロイックミラー１３と、Ｇ光を反射してＧ光用の液晶パネル４２に導く反射ミラー１５と、Ｂ光を反射してＢ光用の液晶パネル４３に導く反射ミラー１４を含んで構成されている。
【００３３】
光学部品用筐体４に収納されている色合成光学系は、Ｒ光用の入射側偏光板３１、液晶パネル４１、出射側偏光板５１と、Ｇ光用の入射側偏光板３２、液晶パネル４２、出射側偏光板５２と、Ｂ光用の入射側偏光板３３、液晶パネル４３、出射側偏光板５３と、出射側偏光板５１〜５３を透過したＲ光、Ｇ光、Ｂ光を合成して合成光を投写ユニット１９２に出力するクロスダイクロイックプリズム６０を含んで構成されている。なお、色合成光学系は光変調部１９０の一部である。
【００３４】
冷却部１３０は、光変調部１９０に対して熱伝導可能に形成されている。ここで、冷却部１３０についてより詳細に説明する。
【００３５】
図５は、第１の実施例における冷却部１３０の機能ブロック図である。また、図６は、第１の実施例における液体流通管１３１の経路を示す図である。
【００３６】
冷却部１３０は、冷却媒体を吸入して圧送する液体圧送部１３２と、冷却媒体を一時的に貯留するタンク１３３と、冷却媒体の温度を調整する熱交換ユニット１３４と、液晶パネル４１〜４３の周囲を循環するように配置される液体流通管１３１を含んで構成されている。
【００３７】
熱交換ユニット１３４は、ペルチェ素子１３６と、ペルチェ素子１３６を支持する区画板１３７と、ペルチェ素子１３６の吸熱側に設けられる熱交換部１３５と、ペルチェ素子１３６の放熱側に設けられる板体１３８およびフィン部材１３９を含んで構成されている。ペルチェ素子１３６が電気駆動され、冷却媒体が吸熱され、放熱されることにより、冷却媒体が冷却され、液晶パネル４１〜４３の周囲が冷却される。
【００３８】
次に、冷却部１３０等を用いた冷却用の制御手順について説明する。図７は、第１の実施例における制御手順を示すフローチャートである。
【００３９】
ユーザーは、リモコンの画像ミュートボタンを押すことにより、プロジェクター１００による画像を一時的に非表示にする。制御部１４０は、操作部１６０からの情報に基づき、画像ミュート指示があるかどうかを判定する（ステップＳ１）。
【００４０】
画像ミュート指示があった場合、制御部１４０は、調光部１８２および開閉部１８４を制御して遮光板７２、７３、８２を、図３、図４の２点鎖線で示す閉位置に移動、すなわち、光量調整部１８０を閉状態にし（ステップＳ２）、冷却部１３０を制御してペルチェ素子１３６への電力供給を停止する（ステップＳ３）。
【００４１】
プロジェクター１００は、ペルチェ素子１３６への電力供給を停止することにより、冷却媒体が吸熱されないで液晶パネル４１〜４３の周囲を循環するため、遮光板７２、７３、８２によって光が遮断された場合の液晶パネル４１〜４３の周囲の温度低下を抑制することができる。
【００４２】
ユーザーは、再びリモコンの画像ミュートボタンを押すことにより、プロジェクター１００による画像の表示を再開する。制御部１４０は、操作部１６０からの情報に基づき、画像ミュート解除指示があるかどうかを判定する（ステップＳ４）。
【００４３】
画像ミュート解除指示があった場合、制御部１４０は、調光部１８２および開閉部１８４を制御して遮光板７２、７３、８２を、図３、図４の実線で示す開位置に移動、すなわち、光量調整部１８０を開状態し（ステップＳ５）、冷却部１３０を制御してペルチェ素子１３６への電力供給を再開する（ステップＳ６）。
【００４４】
プロジェクター１００は、ペルチェ素子１３６への電力供給を再開することにより、冷却媒体が吸熱されて液晶パネル４１〜４３の周囲を循環するため、光が遮断されない場合の液晶パネル４１〜４３の周囲の温度上昇を抑制することができる。
【００４５】
以上のように、本実施例によれば、プロジェクター１００は、光量調整部１８０の調整状態に応じてペルチェ素子１３６を有する冷却部１３０を制御することにより、光変調部１９０における結露の発生をより適切に防止することができる。
【００４６】
また、本実施例によれば、プロジェクター１００は、光路を閉状態にする場合にペルチェ素子１３６の動作を停止することにより、光変調部１９０における結露の発生を防止することができる。
【００４７】
また、本実施例によれば、プロジェクター１００は、光路が完全に閉鎖される場合にペルチェ素子１３６の動作を停止することにより、光変調部１９０における結露の発生を防止することができる。また、本実施例によれば、プロジェクター１００は、光路を完全に閉鎖する１つの遮光板８２の前に間を空けた状態で複数の遮光板７２、７３を配置することにより、遮光板８２に当たる光量を減少させることができるため、遮光板８２における温度上昇を抑制することができる。
【００４８】
（第２の実施例）
第１の実施例では、プロジェクター１００は、画像ミュート指示に応じて冷却部１３０を制御したが、光変調部１９０の温度に応じて冷却部１３０を制御してもよい。
【００４９】
図８は、第２の実施例におけるプロジェクター１０１の機能ブロック図である。プロジェクター１０１は、プロジェクター１００の構成に加えて光変調部１９０の温度である第１の温度を測定する第１の温度測定部１５０と、光変調部１９０の外部の温度である第２の温度を測定する第２の温度測定部１５１を含んで構成されている。
【００５０】
また、制御部１４１は、第１の温度が第２の温度未満の場合、第１の温度が第２の温度以上になるように、冷却部１３０を制御するように構成されている。なお、プロジェクター１０１は、第１の実施例と同様に、情報記憶媒体２０１からプログラムを読み取って制御部１４１等として機能してもよい。
【００５１】
次に、制御部１４１等による冷却制御手順について説明する。図９は、第２の実施例における制御手順を示すフローチャートである。第１の温度測定部１５０は、光変調部１９０の温度を示す第１の温度を測定する（ステップＳ１１）。第２の温度測定部１５１は、光変調部１９０の外部の温度を示す第２の温度を測定する（ステップＳ１２）。
【００５２】
制御部１４１は、ペルチェ素子１３６が稼働中であるかどうかを判定し（ステップＳ１３）、ペルチェ素子１３６が稼働中である場合、第１の温度が第２の温度未満であるかどうかを判定する（ステップＳ１４）。
【００５３】
第１の温度が第２の温度未満である場合、制御部１４１は、ペルチェ素子１３６への電力供給を停止するように冷却部１３０を制御する（ステップＳ１５）。これにより、ペルチェ素子１３６の稼働が停止する。なお、第１の温度が第２の温度以上である場合、ペルチェ素子１３６への電力供給が続行される。
【００５４】
ペルチェ素子１３６の稼働が停止中である場合、制御部１４１は、第１の温度が第２の温度以上であるかどうかを判定する（ステップＳ１６）。第１の温度が第２の温度以上である場合、制御部１４１は、ペルチェ素子１３６への電力供給を再開するように冷却部１３０を制御する（ステップＳ１７）。これにより、ペルチェ素子１３６が稼働する。
【００５５】
なお、制御部１４１は、第１の実施例と同様に、光量調整部１８０の調整状態に応じて冷却部１３０を制御する。
【００５６】
以上のように、本実施例によれば、プロジェクター１０１は、第１の実施例と同様の作用効果を奏する。また、本実施例によれば、プロジェクター１０１は、光変調部１９０の温度が外部の温度以上になるように冷却部１３０を制御することにより、光変調部１９０における結露の発生を防止することができる。
【００５７】
（その他の実施例）
なお、本発明の適用は上述した実施例に限定されず、種々の変形が可能である。例えば、第２の実施例では、プロジェクター１０１は、第２の温度測定部１５１を含んで構成されているが、第２の温度測定部１５１は必須ではない。
【００５８】
例えば、制御部１４１は、第１の温度測定部１５０によって測定される第１の温度が、結露が発生する基準温度（例えば、０度、１０度等）未満の場合、第１の温度が基準温度以上になるように、冷却部１３０を制御してもよい。
【００５９】
これによれば、プロジェクター１０１は、光変調部１９０の温度が基準温度以上になるように冷却部１３０を制御することにより、光変調部１９０における結露の発生を防止することができる。
【００６０】
また、制御部１４１は、結露を防止する制御として、ペルチェ素子１３６への電力供給を停止させる制御に代え、ペルチェ素子１３６への電流の方向を逆方向にすることにより、ペルチェ素子１３６における熱の流れを逆にして冷却媒体を加熱させてもよい。
【００６１】
また、遮光板７２、７３、８２の駆動方式は、スライド駆動方式に限定されず、例えば、回転駆動方式等であってもよい。また、光量調整部１８０は、調光部１８２と開閉部１８４のいずれか一方によって構成されてもよい。また、開閉装置８０におけるフィルター８１は必須ではない。
【００６２】
また、制御部１４０、１４１は、光量調整部１８０の制御状態に応じた制御として、上述した開状態、閉状態だけでなく、例えば、光量調整部１８０における透過率等に応じた制御（例えば、光量調整部１８０における光の透過率が基準値以下の場合に冷却部１３０の冷却を停止する制御等）を行ってもよい。また、調光部１８２、開閉部１８４として、遮光板の位置を機械的に移動するものを例示したが、それぞれ液晶パネル等の光変調素子に置き換えることができる。
【００６３】
また、図２では、光源１７０として、２つの光源装置１７１、１７２が設けられているが、光源１７０は、１つの光源装置であってもよいし、３つ以上の光源装置であってもよい。また、上述したプロジェクター１００、１０１は、３板式の液晶プロジェクターであるが、単板式の液晶プロジェクターであってもよい。
【００６４】
また、プロジェクター１００、１０１は、液晶プロジェクター（透過型、ＬＣＯＳ等の反射型）に限定されず、例えば、ＤＭＤ(Digital Micromirror Device)を用いたプロジェクター等であってもよい。なお、ＤＭＤは米国テキサス・インスツルメンツ社の商標である。また、プロジェクター１００、１０１の機能を複数の装置（例えば、ＰＣとプロジェクター等）に分散してもよい。
【符号の説明】
【００６５】
１００、１０１  プロジェクター、２  筐体、４  光学部品用筐体、１１、１４、１６、１７  反射ミラー、１２、１３  ダイクロイックミラー、２１  第１レンズアレイ、２２  第２レンズアレイ、２３  偏光変換素子、２４  重畳レンズ、３１〜３３  入射側偏光板、４１〜４３  液晶パネル、５１〜５３  出射側偏光板、６０  クロスダイクロイックプリズム、７０  調光装置、７２、７３、８２  遮光板、７４、８４  支持部材、８０  開閉装置、８１  フィルター、１００、１０１  プロジェクター、１１０  画像信号入力部、１２０  画像生成部、１３０  冷却部、１３１  液体流通管、１３２  液体圧送部、１３３  タンク、１３４  熱交換ユニット、１３５  熱交換部、１３６  ペルチェ素子、１３７  区画板、１３８  板体、１３９  フィン部材、１４０、１４１  制御部、１５０  第１の温度測定部、１５１  第２の温度測定部、１６０  操作部、１７０  光源、１７１、１７２  光源装置、１８０  光量調整部、１８２  調光部、１８４  開閉部、１９０  光変調部、１９２  投写ユニット、２００、２０１  情報記憶媒体
【図１】
2011033747.tif 000003
【図２】
2011033747.tif 000004
【図３】
2011033747.tif 000005
【図４】
2011033747.tif 000006
【図５】
2011033747.tif 000007
【図６】
2011033747.tif 000008
【図７】
2011033747.tif 000009
【図８】
2011033747.tif 000010
【図９】
2011033747.tif 000011